(57)【要約】【課題】容器本体の帯電に伴う課題を解決し得る容器を提供すること。【解決手段】本発明の容器１は、口頸部２１を有する容器本体２と、帯電防止剤を含み、容器本体２の口頸部２１に装着される蓋体３とを備えており、蓋体３を口頸部２１から取り外して使用するものである。容器１は、容器本体２内に充填される内容物１０に埋没されて蓋体３側に放電させる放電手段４を備えている。放電手段４が、蓋体２１と一体的に設けられた突状部で形成されていることが好ましい。【選択図】図１
2009051516.tif 000002
【特許請求の範囲】
【請求項１】
口頸部を有する容器本体と、帯電防止剤を含み、前記口頸部に装着される蓋体とを備えており、前記蓋体を前記口頸部から取り外して使用する容器であって、
前記容器本体内に充填される内容物に埋没されて蓋体側に放電させる放電手段を備えている容器。
【請求項２】
前記放電手段が、前記蓋体と一体的に設けられた突状部で形成されている請求項１に記載の容器。
【請求項３】
前記放電手段が、前記蓋本体と別体に設けられている請求項１に記載の容器。
【請求項４】
前記放電手段が、前記口頸部を塞いでいる請求項１〜３の何れかに記載の容器。
【請求項５】
前記容器本体が、一端に口頸部形成され、他端に扁平なシール部が形成されたチューブ容器である請求項１〜４の何れかに記載の容器。
【発明の詳細な説明】
【技術分野】
【０００１】
本発明は、容器本体の帯電が抑えられた容器に関する。
【背景技術】
【０００２】
洗顔フォーム等の流動性を有する内容物を充填する容器として、一端部に口頸部が形成され、他端部に扁平なシール部が形成された、いわゆるチューブ容器が広く採用されている（例えば、特許文献１参照）。このようなチューブ容器は、その製造工程において、電圧をかけてピンホールの有無を検査している場合がある。この検査を経て製造されている容器は、加飾上の制約から、容器本体に多量の帯電防止剤を添加できないため、容器本体の放電が十分になされずに帯電している場合があり、容器本体に埃などが付着し易い課題を有していた。
【０００３】
【特許文献１】特開２００２−２５５２０２号公報
【発明の開示】
【発明が解決しようとする課題】
【０００４】
本発明は、上記課題に鑑みてなされたものであり、容器本体の帯電に伴う課題を解決し得る容器を提供することを目的とする。
【課題を解決するための手段】
【０００５】
本発明は、口頸部を有する容器本体と、帯電防止剤を含み、前記口頸部に装着される蓋体とを備えており、前記蓋体を前記口頸部から取り外して使用する容器であって、前記容器本体内に充填される内容物に埋没されて蓋体側に放電させる放電手段を備えている容器を提供することにより、前記目的を達成したものである。
【発明の効果】
【０００６】
本発明の容器によれば、容器本体の帯電を抑えることができるので、その表面に埃などが付着し易いとった従来の容器が有していた容器本体の帯電に伴う不具合を解消することができる。
【発明を実施するための最良の形態】
【０００７】
以下本発明を、その好ましい実施形態に基づき図面を参照しながら説明する。
図１及び図２は、本発明をチューブ容器に適用した第１実施形態を示すものである。
図１に示すように、本実施形態の容器１は、口頸部２１を有する容器本体２と、帯電防止剤を含み、容器本体２の口頸部２１に装着される蓋体３とを備えており、前記蓋体を前記口頸部から取り外して使用するものである。容器１は、容器本体２内に充填される内容物１０に埋没されて蓋体３側に放電させる放電手段４を備えている。以下、容器１についてさらに詳細に説明する。
【０００８】
容器本体２は、いわゆるチューブ容器であり、一端に外周に螺旋を有する口頸部２１が形成され、他端に扁平なシール部２２が形成されている。
口頸部２１の内面積、口頸部２１の長さＡ（図２参照）は、充填される内容物の粘度等に応じて設定される。
容器本体２中の帯電防止剤の含有量は、加飾を考慮して０．１質量％以下とすることが好ましい。含有させる帯電防止剤としては、非イオン性界面活性剤等が挙げられる。
【０００９】
蓋体３には、口頸部２１から容器本体２内に挿入される突状部３１が一体的に設けられており、放電手段４が突状部３１で形成されている。突状部３１の形態は、蓋体３を容器本体２の口頸部２１に装着した状態で、口頸部２１から挿入され、その先端部が容器本体内に充填される内容物に埋没されればその形態に制限はない。本実施形態のように、蓋体３を口頸部２１に装着した状態で、放電手段４としての突状部３１が、容器本体２の口頸部２１を塞ぐように設けることが好ましいが、突状部３１は口頸部２１を塞がなくてもよい。
【００１０】
蓋体３は、帯電防止剤を含有する樹脂成形体で構成されている。蓋体３を構成する樹脂としては、ポリプロピレン、ポリエチレン等が挙げられる。また、蓋体３に含ませる帯電防止剤としては、非イオン性界面活性剤等が挙げられる。前記帯電防止剤は、成形性、加飾適性、帯電防止効果を考慮すると、蓋体３中に０．０５〜１．００質量％含ませることが好ましく、０．２〜０．４質量％含ませることがより好ましい。
【００１１】
容器本体２に充填する内容物１０は、充填時に口頸部２１内まで十分に充填されにくく、放電手段４を備えていなければ、蓋体３側に放電ができないほど粘度が高いものであればよい。
【００１２】
内容物１０は、上記粘度範囲において、容器本体２に腐食等損傷を及ぼさなければ、その成分に特に制限はないが、例えば、洗顔フォーム、ヘアトリートメント、歯磨き、ハンドクリーム、メイク落とし等が挙げられる。
【００１３】
以上説明したように、本実施形態の容器１は、先端部が容器本体２内に充填される内容物１０に埋没される放電手段４を備えているので、容器本体２の検査後に帯電している場合でも、内容物１０を充填すると、放電手段４としての突状部３１を通して蓋体３側に放電されるので、容器本体２の帯電を確実に除去することができる。よって、容器本体２の表面に埃などが付着し易いといった従来の容器が有していた不具合を解消することができる。
【００１４】
図３及び図４は、本発明の第２、第３実施形態を示すものである。これらの図において、第１実施形態の容器１と共通する部分については、同一符号を付し、その説明は省略する。よって、特に説明のない部分については、第１実施形態の説明が適宜適用される。
【００１５】
図３に示す第２実施形態の容器１’は、放電手段４が蓋体３とは別体に設けられた筒状体４１で構成されている。筒状体４１は、その先端部が容器本体２内に充填される内容物１０に埋没されるように、容器本体２の口頸部２１に嵌着されている。筒状体４１は、蓋体３が装着されたときには、筒状体４１の開口頸部４１１に蓋体３の内面の筒状壁部３２が密嵌されて、導電性が確保されるように設けられている。筒状体４１は、第１実施形態の容器１の蓋体３と同様の材質で形成される。
【００１６】
本実施形態の容器１’は、第１実施形態の容器１と同様に、容器本体２の検査後に帯電している場合でも、内容物１０を充填すると、放電手段４としての筒状体４１を通して蓋体３側に放電されるので、容器本体２の帯電を確実に除去することができる。よって、容器本体２の表面に埃などが付着し易いといった従来の容器が有していた容器本体の帯電に伴う種々の不具合を解消することができる。また、本実施形態の容器１’は、蓋体３と筒状体４１とが別体であるので、蓋体３の装着がし易い形態である。
【００１７】
図４に示す第３実施形態の容器１’は、放電手段４が蓋体３とは別体に設けられた中栓体４２で構成されている。中栓体４２は、その先端部が容器本体２内に充填される内容物１０に埋没されるように、容器本体２の口頸部２１に密嵌されている。中栓体４２は、蓋体３が装着されたときには、中栓体４２の基面部４２１と、蓋体３の内面の筒状壁部３１とが密着して導電性が確保されるように設けられている。中栓体４２は、第１実施形態の容器１の蓋体３と同様の材質で形成される。中栓体４２は、放電手段４として機能するほか、容器１’の未開封性を保証するいわゆるバージンシールとして機能させることができる。中栓体４２は、開封後に再使用せずにそのまま廃棄させることもできる。
【００１８】
本実施形態の容器１’は、第１実施形態の容器１と同様に、容器本体２の検査後に帯電している場合でも、内容物１０を充填すると、放電手段４としての中栓体４２を通して蓋体３側に放電されるので、容器本体２の帯電を確実に除去することができる。よって、容器本体２の表面に埃などが付着する等の従来の容器が有していた種々の不具合を解消することができる。また、本実施形態の容器１’は、蓋体３と中栓体４２とが別体であるので、蓋体３の装着がし易い形態である。
【００１９】
本発明は、前記各実施形態に制限されない。
例えば、前記実施形態では、蓋体３が螺着によって容器本体２の口頸部２１に装着される形態としたが、口頸部２１への蓋体３の装着形態に特に制限はない。例えば、蓋体が嵌合によって容器本体の口頸部に装着される形態とすることもできる。
【図面の簡単な説明】
【００２０】
【図１】本発明の容器の第１実施形態を示す一部を切り欠いた部分断面図である。
【図２】図１の要部の拡大断面図である。
【図３】本発明の容器の第２実施形態を示す要部の拡大断面図（図２相当図）である。
【図４】本発明の容器の第３実施形態を示す要部の拡大断面図（図２相当図）である。
【符号の説明】
【００２１】
１、１’  容器
２  容器本体
２１  口頸部
２２  シール部
３  蓋体
３１  突状部
３２、３３  筒状壁部
４  放電手段
４１  筒状体
４２  中栓体
１０  内容物
【図１】
2009051516.tif 000003
【図２】
2009051516.tif 000004
【図３】
2009051516.tif 000005
【図４】
2009051516.tif 000006